(57)【特許請求の範囲】
【請求項１】
物品を運搬するために用いられる搬送用什器であって、
上下方向に延伸する支柱と、
水平方向に拡張し前記支柱の上端部に固定される横架材と、
前記横架材に支持され上下方向に伸長する複数の天板受けと、
前記複数の天板受けに載置され当該搬送用什器の最上部に位置するとともにその下面が前記横架材の上面から上方に離間して横架材との間にオプション品を配置することのできるオプション空間を形成する天板と
を具備し、
オプション品を配置することのできる前記オプション空間が天板の使用端近傍及び反使用端近傍の両方に確保されている搬送用什器。
【請求項２】
水平方向に伸長するステーが前記横架材に固定され、
前記複数の天板受けが前記ステーに固定されている請求項１記載の搬送用什器。
【請求項３】
前記ステーの一部が使用者が把持することのできるハンドルとなっている請求項２記載の搬送用什器。
【請求項４】
前記オプション空間に収納するべき物品を支持するための一または複数の物品支持体が前記オプション品としてオプション空間に設けられる請求項１記載の搬送用什器。
【請求項５】
物品を運搬するために用いられる搬送用什器であって、
上下方向に延伸する支柱と、
水平方向に拡張し前記支柱の上端部に固定される横架材と、
前記横架材に支持され上下方向に伸長する複数の天板受けと、
前記複数の天板受けに載置され当該搬送用什器の最上部に位置するとともにその下面が前記横架材の上面から上方に離間して横架材との間にオプション品を配置することのできるオプション空間を形成する天板と
を具備し、
前記オプション品を取り付ける場合に、当該オプション品に設けられたオプション品を取り付けるための取付片を前記天板受けの上端部に支持させた状態でその上から前記天板を載置することができる搬送用什器。
【請求項６】
前記天板受けにおける外側方を向く側面にフックが設けられている請求項１、２、３、４または５記載の搬送用什器。
【発明の詳細な説明】
【技術分野】
【０００１】
本発明は、種々の物品を運搬するために用いられる搬送用什器に関する。
【背景技術】
【０００２】
従来より、病院や診療所等において、電子カルテ用の情報処理端末（ノートブック型パーソナルコンピュータ等）やレントゲンフィルムその他の資料、薬剤、器具類の収納及び運搬の用に供されているナースカート（ナーシングカート）が公知である（例えば、下記特許文献を参照）。
【０００３】
この種のナースカートは、キャスタを取り付けて床面上を移動可能とした脚ベースに支柱を立設し、その支柱の中間部に棚やトレーを支持させるとともに、支柱の上端部に天板を配設した構造を有していることが通例である。ナースカートの使用者である看護師や介護士等は、棚やトレーを利用して必要な物品を収納するとともに、天板上に情報処理端末を載置して、病院や診療所内の各所に移動しながら業務を遂行する。
【０００４】
既存のナースカートでは、支柱に沿って棚やトレーを複数段設置することができ、それらの棚やトレーを利用して多種類または多数の物品を同時に運搬することが可能となっている。
【０００５】
だが、その一方で、天板の直下の空間領域は必ずしも物品の収納に用いられていない。立った姿勢でナースカートを運用することが多い使用者は、天板の直下に自らの手を簡単に差し入れることができる。故に、天板の直下の空間領域を有効活用できるならば、ナースカートの利便性がさらに向上するものと思われる。
【先行技術文献】
【特許文献】
【０００６】
【特許文献１】特開２０１３−０１７７０７号公報
【特許文献２】特開２０１４−０１４５１４号公報
【発明の概要】
【発明が解決しようとする課題】
【０００７】
本発明は、ナースカートに代表される搬送用什器において、天板の直下の空間領域を有効活用できるようにすることを所期の目的としている。
【課題を解決するための手段】
【０００８】
本発明では、物品を運搬するために用いられる搬送用什器であって、上下方向に延伸する支柱と、水平方向に拡張し前記支柱の上端部に固定される横架材と、前記横架材に支持され上下方向に伸長する複数の天板受けと、前記複数の天板受けに載置され当該搬送用什器の最上部に位置するとともにその下面が前記横架材の上面から上方に離間して横架材との間にオプション品を配置することのできるオプション空間を形成する天板とを具備し、オプション品を配置することのできる前記オプション空間が天板の使用端近傍及び反使用端近傍の両方に確保されている搬送用什器を構成した。
【０００９】
より具体的には、水平方向に伸長するステーが前記横架材に固定され、前記複数の天板受けが前記ステーに固定されている構造を採用することが好ましい。
【００１０】
前記ステーの一部が使用者が把持することのできるハンドルとなっていれば、天板受けを支持するステーをハンドルに兼用することによる部品点数の削減を実現できる。
【００１１】
前記オプション品の例としては、前記オプション空間に収納するべき物品を支持するための一または複数の物品支持体を挙げることができる。
【００１２】
並びに、本発明では、物品を運搬するために用いられる搬送用什器であって、上下方向に延伸する支柱と、水平方向に拡張し前記支柱の上端部に固定される横架材と、前記横架材に支持され上下方向に伸長する複数の天板受けと、前記複数の天板受けに載置され当該搬送用什器の最上部に位置するとともにその下面が前記横架材の上面から上方に離間して横架材との間にオプション品を配置することのできるオプション空間を形成する天板とを具備し、前記オプション品を取り付ける場合に、当該オプション品に設けられたオプション品を取り付けるための取付片を前記天板受けの上端部に支持させた状態でその上から前記天板を載置することができる搬送用什器を構成した。このようなものであれば、オプション空間にオプション品を取り付ける構造が簡便なものとなり、また、天板受けをオプション品の支持に兼用することによる部品点数の削減を実現できる。
【００１３】
前記天板受けにおける外側方を向く側面にフックが設けられていれば、比較的軽量な物品、例えばマニュアルやノート等を当該フックに引っ掛けて保持させることができる。
【発明の効果】
【００１４】
本発明によれば、ナースカートに代表される搬送用什器において、天板の直下の空間領域を有効活用できるようになる。
【図面の簡単な説明】
【００１５】
【図１】本発明の一実施形態の搬送用什器を示す斜視図。
【図２】同実施形態の搬送用什器の平面図。
【図３】同実施形態の搬送用什器の正面図。
【図４】同実施形態の搬送用什器の背面図。
【図５】同実施形態の搬送用什器の右側面図。
【図６】同実施形態の搬送用什器の分解斜視図。
【図７】同実施形態の搬送用什器の分解斜視図。
【図８】同実施形態の搬送用什器のトレーユニットを示す底面図。
【図９】同実施形態の搬送用什器に両側トレーユニットを設置した状態を示す斜視図。
【図１０】同実施形態の搬送用什器の両側トレーユニットを示す分解斜視図。
【図１１】同実施形態の搬送用什器の両側トレーユニットを示す底面図。
【図１２】同実施形態の搬送用什器の支持構造体、天板及びオプション品を示す斜視図。
【図１３】同実施形態の搬送用什器の支持構造体、天板及びオプション品を示す分解斜視図。
【図１４】同実施形態の搬送用什器の支持構造体、天板及びオプション品を示す正断面図。
【図１５】同実施形態の搬送用什器の支持構造体、天板及びオプション品を示す側断面図。
【図１６】同実施形態の搬送用什器の支持構造体、天板及びオプション品の一部を拡大して示す要部側断面図。
【発明を実施するための形態】
【００１６】
本発明の一実施形態を、図面を参照して説明する。本実施形態の搬送用什器たるナースカートＮは、移動可能な脚ベース１と、この脚ベース１上に立設された支柱２と、支柱２の上端に剛結された支持構造体３と、支持構造体３の上に配設された天板４と、天板４の一端側に沿って天板４から離間した状態に設けられたハンドル５とを具備する。
【００１７】
支柱２の左右両側面には、トレー６１１をそれぞれ片持状態で支持させることができる。また、支柱２には、トレー６１１とともに、棚板６２１を支持させることができる。さらには、図１ないし図８に示すトレー６１１及び棚板６２１に代えて、またはこれとともに、図９ないし図１１に示す両側トレー６３１を支持させることもできる。これらトレー６１１、棚板６２１及び両側トレー６３１の高さ位置は、使用者が任意に変更することが可能である。
【００１８】
なお、図１はこのナースカートＮを示す斜視図、図２は同平面図、図３は同正面図、図４は背面図、そして図５は同右側面図である。本明細書において、「前」とは、天板４の一端側である使用端側を意味し、「後」とは、天板４の反使用端側を意味する。「左」「右」とは、正面図における左右をそれぞれ意味するものとする。
【００１９】
次いで、各部の構成を具体的に説明する。
【００２０】
＜脚ベース＞
脚ベース１は、図１ないし図７に示すように、横断面形状が各部において同じである素材を所定長さに切断して作られる中間部材１１と、この中間部材１１の両端に結合された型成形品である左右の脚羽根１２とを備えたものである。
【００２１】
中間部材１１は、所定の長さに切断してなるスチール製の角型パイプ素材を主体としているものである。この中間部材１１の左右方向中央、換言すれば脚ベース１の左右方向中央には、支柱２を取り付けるための支柱取付部１３が設けられている。
【００２２】
脚羽根１２は、図１ないし図７に示すように、例えばアルミダイキャスト製のもので、下方に開放された中空体状をなしている。即ち、各脚羽根１２は、上壁と、内外の側壁と、前後の端壁とを一体に備えてなるもので、その内部には補強用のリブ１２ｒが一体に設けられている。右の脚羽根１２と左の脚羽根１２とは、左右対称形状をなしており、各脚羽根１２の前後方向両端部には、それぞれ３６０度全方向に首振り可能なキャスタ１４が取り付けられている。各脚羽根１２の内側壁における前端と後端との間、より具体的には、脚ベース１の前後方向中央よりも天板４の使用端側に偏位した位置には、中間部材１１と連結するための連接部１５がそれぞれ設けられている。
【００２３】
＜支柱＞
支柱２は、脚ベース１の左右方向中央に立設され、その左右にトレー６１１、棚板６２１、両側トレー６３１等のオプションを片持状態で取り付けるための取付面２ａとし、当該取付面２ａにオプション取付部２ｂを設けている。そして、この支柱２に全荷重を支持させ得る状態で当該支柱２上に天板４が配されている。換言すれば、天板４を支える支柱２が一本のみ存在している。
【００２４】
なお、この実施形態においては、支柱２は、脚ベース１の左右方向中央に平面視略重複した位置に立設されており、後述するように、この支柱２の左側及び右側には、同形状をなすトレー６１１を配する。本実施形態では、脚ベース１の左右方向である両側にオプション取付部２ｂを有した取付面２ａを備えたものとし、取付面２ａと直交する方向の外法寸法を取付面２ａに平行な方向の外法寸法よりも小さく設定している。また、この支柱２は、脚ベース１に対しては左右方向中央、天板４に対しては使用端側に偏心させて箇所に配されている。
【００２５】
支柱２は、テレスコープ式に伸縮し得る構造のもので、図１ないし図８に示すように、脚ベース１に固定された静止要素２１と、この静止要素２１に昇降可能に保持され支持構造体３を介して天板４を支持する昇降要素２２と、この昇降要素２２の昇降を所望位置においてロックする機能を有したガススプリング２３（図８に示す）とを備えてなる。
【００２６】
静止要素２１は、同図に示すように、昇降要素２２を昇降可能に包持するコア部材２４と、このコア部材２４の前後両側に装着された化粧部材２５と、これら化粧部材２５及びコア部材２４間に取付面２ａ毎に二本ずつ形成される目地底を形成する目地底材２６とを具備してなる。コア部材２４は、アルミ押出成形素材を所定の長さに切断した、例えば概略角柱パイプ状のものである。そして、このコア部材２４は脚ベース１に取り付けるべく内周には図示しない雌ネジ溝が刻設されている。また、このコア部材２４の内部には凹陥したレール面が上端から下端に亘って形成されており、これらのレール面で昇降要素２２のベアリング２０（図１２に示す）を案内するようになっている。
【００２７】
化粧部材２５は、図５ないし図８に示すように、コア部材２４との間に目地２ｃを形成する内壁と、この内壁の両端間に設けられ外方に部分円弧状をなして膨出する湾曲した外壁とを一体に備えてなるもので、例えば、アルミ押出成形素材を所定の長さに切断することにより作られている。これら化粧部材２５とコア部材２４との間に配される目地底材２６は、横断面コ字状をなす押出成形素材を所定の長さに切断することにより作られている。
【００２８】
このようにしてなる支柱２の静止要素２１は、その取付面２ａである左側面及び右側面に各オプションを高さ位置変更可能に取り付けることができるオプション取付部２ｂをそれぞれ備えている。具体的には、各オプション取付部２ｂは、各目地底材２６に複数のフック孔２ｄを上下方向に所定のピッチで形成したものであり、フック孔２ｄは、目地底材２６の上下方向全長に亘って形成されている。即ち、各オプション取付部２ｂは、平均的な使用者の想定膝高さより上の清潔領域と呼ばれる領域から想定膝高さより下の不潔領域と呼ばれる領域に亘って設けられている。かかる静止要素２１に昇降要素２２が昇降可能に支持されている。
【００２９】
昇降要素２２は、同図に示すように、金属製のパイプ部材２７と、このパイプ部材２７を静止要素２１に対して昇降可能に支持させる複数のベアリング２０とを具備してなる。パイプ部材２７は、スチール等の角柱パイプ素材を所定の長さに切断することにより作られている。パイプ部材２７の上端近傍部には、ガススプリング２３のロックを解除するためのロック解除レバー２８が回動可能に軸着されている。
【００３０】
ガススプリング２３は、静止要素２１の下端に取り付けられた図示しないシリンダと、このシリンダ内のピストンに接続されその上端側を該シリンダの上端から突没可能に突出させたロッド２９（図８に示す）とを具備してなる通常のもので、常時はロッド２９がシリンダに対してロックされている。そして、ロッド２９の先端に設けた操作端を押し下げた場合にだけ、ロッド２９を封入ガスの弾性反発力により上動させたりガスの弾性反発力に抗する操作力により降下させたりすることができるようになっている。このガススプリング２３のロッド２９の先端部は、昇降要素２２のパイプ部材２７に固定されている。即ち、ロッド２９の先端に設けられた操作端を、ロック解除レバー２８の内方端の下側に臨ませて、ロック解除レバー２８の外方端側を上方に操作することによって、そのロック解除レバー２８の内方端が操作端を押し下げてこのガススプリング２３のロック状態を解除することができるようになっている。
【００３１】
＜トレーユニット＞
この実施形態における図１ないし図７では、支柱２の両側に形成される天板４の下方の空間にオプションである二組のトレーユニット６１及び棚板ユニット６２を配している。そのうちのトレーユニット６１は、板金素材の折り曲げにより成形されたブラケット６１２と、このブラケット６１２に着脱可能に保持されるトレー６１１とを具備してなるもので、当該ブラケット６１２を介して支柱２の取付面２ａたる両側面に設けられたオプション取付部２ｂに高さ位置変更可能に取り付けられる。上側のトレーユニット６１は、清潔領域に取り付けられており、例えば、使用前の医療用具や衣類あるいは薬品類などが収容される。一方、下側のトレーユニット６１は、不潔領域に取り付けられており、例えば、使用済みの医療用具や衣類等が投入される。
【００３２】
トレーユニット６１は、前後方向に対称形状をなすトレー６１１と、このトレー６１１をオプション取付部２ｂに取り付けるためのブラケット６１２と、トレー６１１内を前後方向に仕切るための仕切り板６１３とを有している。トレー６１１は、例えば硬質樹脂の一体成形によって形成されたトレー本体６１４と、このトレー本体６１４の下端縁に嵌め入れられるエッジ部材６１５とを有している。エッジ部材６１５は例えば弾性を有した軟質樹脂を所定の断面形状に押し出し成形されたものであり、トレー本体６１４の前後及び外方に亘って嵌め入れられるものである。なお、このエッジ部材６１５は複数の色のものを適宜選択してトレー本体６１４に取り付けることができる。即ち、トレー６１１を用途により使い分ける等するときは、それぞれのトレー本体６１４に異なる色を呈したエッジ部材６１５を取り付け、使用者が各トレー６１１を識別し易いようにすることができる。なお本実施形態では、図示下側のトレー本体６１４に取り付けられたエッジ部材６１５に対し、図示上側のトレー本体６１４に取り付けられたエッジ部材６１５とは異なる色を呈していることを示すべくパタンを付して示している。
【００３３】
そして仕切り板６１３は、トレー本体６１４の内部を前後に仕切るための板体６１３ａと、この板体６１３ａが倒れないように当該板体６１３ａの上端両側から例えば線材を反円弧状に延出させてトレー本体６１４に引っ掛けるようにした引掛部６１３ｂとを有している。
【００３４】
トレー本体６１４は、収容物を載置する底板部６１４ａと、この底板部６１４ａの周縁から立ち上がる立壁部６１４ｂと、この立壁部６１４ｂと底板部６１４ａとの間に設けられエッジ部材６１５を嵌め入れうる所定形状に成形されたエッジ取付部６１４ｃと、底板部６１４ａの下面側に設けられブラケット６１２に装着し位置決めされるための装着部６６とを有している。
【００３５】
立壁部６１４ｂは、底板部６１４ａ上の収容物が落下しないよう底板部６１４ａから一定寸法立ち上がるものであり、外方の前後方向中央位置に一定寸法から若干低い立ち上がり寸法に設定された凹み部６１４ｅと、前後方向の所定位置に亘って外方、内方ともに前後方向に所定寸法隔てて三つずつ形成された突起６１４ｆとを有している。
【００３６】
凹み部６１４ｅは、トレー本体６１４内に特定の医療用品、例えば使い捨ての手袋やペーパー、袋等の備品を多数収容した備品収容箱に設けられた備品取り出し口が、当該備品収容箱を例えば縦置きした状態でトレー本体６１４の外方に完全に露出し得るように高さ位置を設定してある。
【００３７】
突起６１４ｆは、仕切り板６１３の位置を前後方向に位置決めするためのものである。本実施形態では、仕切り板６１３の引掛部６１３ｂをこの突起６１４ｆの位置に沿って設置したときに、備品収容箱の備品取り出し口が凹部から完全に露出し得る位置に位置決めされるように設定してある。
【００３８】
装着部６６は、底板部６１４ａの下面側から樹脂素材を下方に突出させることにより形成したものであり、側方からブラケット６１２に対して水平に差し込むことにより、ブラケット６１２に対してトレー本体６１４を固定するためのものである。この装着部６６は、ブラケット６１２の装着時に当該ブラケット６１２を上方から押圧する押圧リブ６６１と、ブラケット６１２にそれぞれ前後及び側方から係り合う外リブ６６２及び端リブ６６３とを有している。押圧リブ６６１は、底板における支柱２側たる内側端近傍において前後方向及び側方に延出している。外リブ６６２は、ブラケット６１２の縁部を上下から挟み込むためのスリット６６４と、ブラケット６１２に対し凹凸係合するための位置決め凸部６６５とを有している。端リブ６６３は、外リブ６６２同様、ブラケット６１２の縁部を上下から挟み込むためのスリット６６４と、ブラケット６１２の装着終了時にブラケット６１２の縁部に当接するか近接する挿入端６６６とを有している。
【００３９】
ブラケット６１２は、例えば板金素材の切り出し及び折り曲げにより一体に成形されたもので、支柱２の右側、左側に取り付けるべく互いに対称形状である２種類のものがあるが、本実施形態ではこれらを同じ符号を付してまとめて説明する。このブラケット６１２は、支柱２の側面である取付面２ａに平行に配される基板６１２ａと、この基板６１２ａの両側縁から支柱２に向かう方向に突出させフック孔２ｄに着脱可能に係り合う爪６１２ｂと、基板６１２ａから外方に突出しトレー６１１を略水平方向に挿脱可能に取り付け得るトレー取付部材６１６と、基板６１２ａ及びトレー取付部材６１６に亘って板金を一定領域凹ませて形成した凹み領域とを有している。本実施形態では、凹み領域を形成することによりブラケット６１２全体の剛性を有効に向上せしめている。
【００４０】
基板６１２ａは、本実施形態ではブラケット６１２を取り付けた状態において支柱２の略接し得る位置まで近接するように設定されており、当該基板６１２ａの前後両端における上下方向に離間した二箇所から、爪６１２ｂを板金の切り起こしにより突出させている。
【００４１】
爪６１２ｂは、本実施形態では上側の爪６１２ｂを先端が上側に向けて屈曲した形状をなす上向き爪６１２ｃとし、下側の爪６１２ｂを先端が下側に向けて屈曲した形状をなす下向き爪６１２ｄとしている。
【００４２】
トレー取付部材６１６は、基板６１２ａの下端から水平方向に延出し、トレー６１１を側方から水平に挿入して取り付け得るようにしている。このトレー取付部材６１６は、基板６１２ａから遠い先端側において幅を狭く設定し装着時に端リブ６６３に挟持される幅狭部６１６ｂと、基板６１２ａに近接した基端側において幅狭部６１６ｂに比べて幅を広く設定し装着時に外リブ６６２に挟持される幅広部６１６ａと、これら幅狭部６１６ｂ及び幅広部６１６ａとの間を湾曲形状をなして接続する接続部６１６ｃと、幅狭部６１６ｂの一部を前後から凹ませて形成し外リブ６６２の位置決め突起６１４ｆに対し凹凸係合する位置決め凹部６１６ｄとを有している。なお本実施形態では、幅狭部６１６ｂ及び幅広部６１６ａは、両方の縁が並行に延びる形状となっている。換言すれば、幅狭部６１６ｂ及び幅広部６１６ａは、それぞれ所定の太さで基板６１２ａから突出している。
【００４３】
＜棚板ユニット＞
棚板ユニット６２は、板金素材の折り曲げにより成形された対をなす棚用ブラケット６２２と、この棚用ブラケット６２２にねじにより固定される棚板６２１とを具備してなるもので、トレーユニット６１同様、当該棚用ブラケット６２２を介して支柱２の両側面に設けられたオプション取付部２ｂに高さ位置変更可能に取り付けられる。
【００４４】
棚板６２１は、天板４に類する構成をなすものであり、例えば、木製の芯材６２１ｂと、この芯材の上面に添設されたメラミン樹脂板等の化粧板６２１ｃと、この化粧板６２１ｃ及び芯材６２１ｂの周縁を包囲する棚エッジ部材６２１ｄとを具備してなる。芯材６２１ｂの下面側における棚用ブラケット６２２に対応する部位には雌ねじ穴６２１ｅが形成されている。この棚板６２１は、使用端側における幅方向中央を、支柱２を囲む程度に凹ませた退避縁６２１ａとしている。この退避縁６２１ａを設けることにより、棚板６２１は支柱２に取り付けた状態で当該支柱２を回り込むように配置される。即ち棚板６２１は退避縁６２１ａを設けることで支柱２の両側近傍にも物品を載置し得る。
【００４５】
棚用ブラケット６２２は、ブラケット６１２同様、例えば板金素材の切り出し及び折り曲げにより一体に成形されたもので、支柱２の右側及び左側に取り付けるべく互いに対称形状をなす。本実施形態ではこれら対をなす棚用ブラケット６２２に対し、同じ符号を付してまとめて説明する。この棚用ブラケット６２２は、支柱２の側面である取付面２ａに平行に配される基板６２２ａと、この基板６２２ａの両側縁から支柱２に向かう方向に突出させフック孔２ｄに着脱可能に係り合う爪６２２ｂと、基板６２２ａから外方に突出し棚板６２１を取り付ける棚取付部材６２２ｃとを有してしている。
【００４６】
基板６２２ａは、本実施形態ではブラケットを取り付けた状態において支柱２の略接し得る位置まで近接するように設定されており、当該基板６２２ａの前後両端における上下方向に離間した二箇所から、爪６２２ｂを板金の切り起こしにより突出させている。
【００４７】
爪６２２ｂは、本実施形態では上記ブラケット同様、上側の爪６２２ｂを先端が上側に向けて屈曲した形状をなす上向き爪６２２ｄとし、下側の爪６２２ｂを先端が下側に向けて屈曲した形状をなす下向き爪６２２ｅとしている。
【００４８】
棚板取付部材６２２ｃは、基板６２２ａの下端から水平方向に延出している。この棚板取付部材６２２ｃは、水平方向に平板状に延出した棚板支持部６２２ｆと、この棚板取付部６２２ｆの前後２箇所に設けたねじ挿通孔６２２ｇとを有している。
【００４９】
＜両側トレーユニット＞
しかして本実施形態では上述の通り図１ないし図８に示すトレーユニット６１及び棚板ユニット６２の他、図９ないし図１１に拡大して示すように、支柱２の左右に亘って物品を収容し得る両側トレー６３１を有する両側トレーユニット６３を支柱２に用いることが可能である。以下、斯かる両側トレーユニット６３について説明する。この両側トレーユニット６３は、支柱に左右にまたがって位置付けられる両側トレー６３１を、二つの左右対称形状をなす両側トレー用ブラケット６３２にそれぞれ支柱２から左右方向外方に向かって片持ち支持している。この両側トレーユニット６３を支柱２に取り付けることによって、天板４下方における物品を載置するための面積の拡大化を実現したものである。
【００５０】
両側トレーユニット６３は、板金素材の折り曲げにより成形された対をなす両側トレー用ブラケット６３２と、この両側トレー用ブラケット６３２に着脱可能に保持される両側トレー６３１と、この両側トレー６３１内を仕切るための仕切り板６３３とを具備してなるもので、当該両側トレー用ブラケット６３２によって支柱２の両側面である取付面２ａに設けられたオプション取付部２ｂに高さ位置変更可能に取り付けられる。この両側トレーユニット６３は、支柱２に形成された左右のオプション取付部２ｂに対し、それぞれ両側トレー用ブラケット６３２を同じ高さに取り付けておき、これら対をなす両側トレー用ブラケット６３２の後述するトレー取付部材６３６に対し、後方、即ち天板４の反使用端側から同時に両側トレー６３１を装着することによって支柱２に取り付けられる。
【００５１】
仕切り板６３３は、両側トレー６３１内の所定位置を前後及び／又は左右方向に仕切るためのものである。この仕切り板６３３は、両側トレー６３１内を左右方向に仕切るべく前後方向に延びる姿勢で装着される長尺板６３３ａと、両側トレー６３１内を前後方向に仕切るべく左右方向に延びる姿勢で装着される短寸板６３３ｂと、これら長尺板６３３ａ及び短寸板６３３ｂの中間位置に設けられ、これら長尺板６３３ａ及び短寸板６３３ｂを交差した状態で接続するための交差スリット６３３ｃと、これら長尺板６３３ａ及び短寸板６３３ｂの下端から下方に突出し両側トレー６３１に対し上方から差込固定するための底突起６３３ｄと、これら長尺板６３３ａ及び短寸板６３３ｂから一部を水平方向に突出させることで底突起６３３ｄと同じく両側トレー６３１に対し上方から差込固定するための横突起６３３ｅとを有している。
【００５２】
当該仕切り板６３３は、図１０に図示の通り長尺板６３３ａ及び短寸板６３３ｂを交差スリット６３３ｃによって結合させ平面視交差させた態様に限られず、図９に示すように短寸板６３３ｂのみを装着する態様としても、図示しないが長尺板６３３ａのみを装着する態様としてもよい。即ち仕切り板６３３により使用者は、両側トレー６３１内の収納空間の使い分けを使用者の意図に応じて自由に設定し得る。
【００５３】
両側トレー本体６３４は、収容物を載置する底板部６３４ａと、この底板部６３４ａの周縁から立ち上がる立壁部６３４ｂと、支柱２に対応する部分に相当する底板部６３４ａ及び立壁部６３４ｂを平面視凹ませて形成した退避部６３４ｃと底板部６３４ａの下面側において退避縁６３４ｃを隔てて対をなして左右対称に設けられ、両側トレー用ブラケット６３２のトレー取付部材６３６に装着し位置決めされるための装着部６８とを有している。
【００５４】
底板部６３４ａには、仕切り板６３３の底突起６３３ｄを上方から差し込み固定するための差込穴６３４ｄが形成されている。
【００５５】
立壁部６３４ｂは、底板部６３４ａ上の物品が落下しないよう底板部６３４ａから一定寸法立ち上がるものであり、左右外縁における前後方向の略中央の領域を一部上下方向に凹ませて形成した凹み部６３４ｅと、仕切り板６３３の横突起６３３ｅを差し込み固定するための差し込みスリット６３４ｆと、当該側壁部６３４ｂの外縁上端からさらに外側へ向けて下方へ湾曲しながら折り返して形成した折り返し縁６３４ｇとを有している。
【００５６】
凹み部６３４ｅは、両側トレー本体６３４内に特定の医療用品、あるいは所定規格に準じたサイズのティッシュペーパーの箱等の備品を多数収容した備品収容箱に設けられた備品取り出し口が完全に露出し得るように高さ位置を設定してある。例えば底板部６３４ａ上にティッシュペーパーの箱を横向けに載置した場合、当該箱におけるティッシュペーパーの取り出し口は、凹み部６３４ｅから外側方に完全に露出するようになっている。これにより、両側トレー本体６３４の側方からティッシュペーパーをスムーズに引き出す事ができる。また折り返し縁６３４ｇは、両側トレー本体６３１を外方から把持し易いようにしているのみならず、側壁部６３４ｂに形成した差込スリット６３４ｆを外側から隠蔽する役割も担う。
【００５７】
装着部６８は、底板部６３４ａの下面側から樹脂素材を下方に突出させることにより形成したものであり、側方からトレー取付部材６３６に対して後方から差し込むことにより、両側トレー用ブラケット６３２に対して両側トレー６３１を固定するためのものである。この装着部６８は、両側トレー用ブラケット６３２のトレー取付部材６３６に左右方向外側から係り合う外側リブ６８２と、トレー取付部材６３６に左右方向内側から当接する内側リブ６８１と、トレー取付部材６３６に対し後方から係り合う端リブ６８３と、内側リブ６８１と端リブ６８３との間に設けられた係合リブ６８７とを有している。
【００５８】
外側リブ６８２は、トレー取付部材６３６における前後方向略全域に亘って縁部を上下から挟み込むためのスリット６８４と、トレー取付部材６３６の前端部分に対し凹凸係合し得る基端凹部６８８とを有している。
【００５９】
内側リブ６８１は、直線状に形成されたトレー取付部材６３６の左右方向内側に当接する。
【００６０】
係合リブ６８７は、トレー取付部材６３６の後端近傍の位置で当該トレー取付部材６３６に対し凹凸係合するための先端凸部６８５を有している。
【００６１】
端リブ６８３は、両側トレー用ブラケット６３２の後端縁を上下から挟み込むためのスリット６８４と、両側トレー用ブラケット６３２への装着終了時にトレー取付部材６３６の後端縁に当接するか近接する挿入端６８６とを有している。
【００６２】
両側トレー用ブラケット６３２は、ブラケット６１２同様、例えば板金素材の切り出し及び折り曲げにより一体に成形されたもので、支柱２の右側、左側にそれぞれ取り付けるために、互いに対称形状である２種類のものがあるが、本実施形態ではこれらを同じ符号を付してまとめて説明する。この両側トレー用ブラケットは６３２、支柱２の側面である取付面２ａに平行に配される基板６３２ａと、この基板６３２ａの両側縁から支柱２に向かう方向に突出させフック孔２ｄに着脱可能に係り合う爪６３２ｂと、基板６３２ａから外方に突出し両側トレー６３１を略水平方向に挿脱可能に取り付け得るトレー取付部材６３６とを有している。そしてこの両側トレー用ブラケット６３２は、基板６３２ａ、爪６３２ｂ及びトレー取付部材６３６に加え、基板６３２ａから支柱２の後側に添接しながら延出して互いの両側トレー用ブラケット６３２同士を結合することで、両側トレー６３１を支持する強度を向上させている結合部６３２ｅを有している。
【００６３】
基板６３２ａは、本実施形態では両側トレー用ブラケット６３２を取り付けた状態において支柱２に略接し得る位置まで近接するように設定されており、当該基板６３２ａの前後両端における上下方向に離間した二箇所から、爪６３２ｂを板金の切り起こしにより突出させている。爪６３２ｂは上側の爪６３２ｂを先端が上側に向けて屈曲した形状をなす上向き爪６３２ｃとし、下側の爪６３２ｂを先端が下側に向けて屈曲した形状をなす下向き爪６３２ｄとしている。
【００６４】
トレー取付部材６３６は、基板６３２ａの下端から水平方向に延出し、両側トレー６３１を反使用端側から挿入し得るようにしている。このトレー取付部材６３６は、先端側において幅を狭く設定した幅狭部６３６ｂと、基端側において幅狭部よりも幅を広く設定した幅広部６３６ａと、これら幅狭部６３６ｂ及び幅広部６３６ａとを湾曲形状をなして接続する接続部６３６ｃと、幅狭部６３６ｂの後端縁近傍の一部を左右外方から内方へ凹ませて形成した先端凹部６３６ｄとに加え、幅広部６３６ａの前端縁近傍の一部を左右内方から外方へ凹ませた基端凹部６３６ｅとを有している。
【００６５】
そして結合部６３２ｅは、延出先端側に上下２つ設けられた例えば雌ねじ穴である結合穴６３２ｆを支柱２の後ろ側で連通させ、これら連通した結合穴６３２ｆに対し結合ねじ６３２ｇを装着することによって、互いの両側トレー用ブラケット６３２同士を結合している。
【００６６】
＜支持構造体＞
支持構造体３は、図１ないし図７、並びに図１２ないし図１６に示すように、支柱２の上端に剛結されて、天板４及び他のオプション品である機器収容棚７１、ファイル棚７２及び投げ込み棚７３を支持する構造体である。支持構造体３は、支柱２における昇降要素２２のパイプ部材２７に固定される横架材３１と、この横架材３１の両側端に溶接等により剛結され天板４の使用端及び両側に沿って平面視略コ字型に延びるステー３２と、ステー３２に固定される天板受け３３とを主たる要素とする。
【００６７】
横架材３１は、金属例えばスチール製の板金素材を折曲加工して作製される、左右方向に拡張するチャネル状の部材である。パイプ部材２７及び昇降要素２２はそれぞれ、溶接等により当該横架材３１に剛結される。前後方向に沿って対向する横架材３１の前壁及び後壁の上端部は、互いに相寄る方向に屈曲させた水平片３１１となっている。これら水平片３１１は、機器収容棚７１、ファイル棚７２及び投げ込み棚７３の一部を支持して固定するために利用される。
【００６８】
ステー３２は、金属例えばスチール製の円柱（または、円筒）パイプ材を平面視略コ字型に曲げたものである。ステー３２の左右両側部は、前後方向に沿って互いに平行に伸長し、その各々が横架材３１の左右の側端部にそれぞれ溶接等される。
【００６９】
天板受け３３は、上下方向に所定寸法伸長した例えば樹脂一体成形品である。天板受け３３の下端部には、内側方に向けて開口し、ステー３２をくわえ込むことのできるような嵌込部３３１を形成している。嵌込部３３１の上下方向に沿った内寸は、ステー３２の外形に略等しい。また、天板受け３３の下端部における外側方を向いた側面に、フック３４を設けている。フック３４は、天板受け３３の外側面から外側方に突出する。
【００７０】
天板受け３３における嵌込部３３１よりも上方の部位において、前壁３３２、後壁３３３及び外側壁３３４によって三方より囲まれた内側には、複数枚のリブ３３５を形成している。各リブ３３５は、前後方向を向き上下方向に拡張した薄板状をなし、それらリブ３３５が前後方向に沿って間欠的に（図示例では、三枚）並んでいる。リブ３３５の上端は、天板受け３３の前壁３３２、後壁３３３及び外側壁３３４の上端よりも若干低い位置にある。
【００７１】
加えて、天板受け３３の前後方向の中間の位置に、当該天板受け３３を上下に貫くボルト挿通孔３３６を形成してある。天板受け３３における嵌込部３３１よりも上方の部位において、ボルト挿通孔３３６は円筒状の外周をなしており、その上端はリブ３３５の上端縁よりも若干高い位置にある。換言すれば、ボルト挿通孔３３６の上端は、前壁３３２、後壁３３３及び外側壁３３４の上端と同等の高さとなっている。ボルト挿通孔３３６は、その中途の部分が嵌込部３３１に進入している。嵌込部３３１よりも下方に所在するボルト挿通孔３３６の下端は、座ぐりになっている。
【００７２】
本実施形態において、天板受け３３は、ステー３２の左右の両側部にそれぞれ二個ずつ、前後方向に沿って所定距離離間させて配置している。つまり、天板受け３３は、計四個設ける。
【００７３】
＜天板＞
天板４は、図１ないし図７、並びに図１２ないし図１６に示すように、パーソナルコンピュータ等の情報処理端末やカルテその他の物品を載置することのできる平面視略長方形状の部材である。この天板４は、ナースカートＮの最上部に位置する。
【００７４】
天板４は、例えば、木製の芯材４１と、この芯材４１の上面に添設されたメラミン樹脂板等の化粧板４２と、この化粧板４２及び芯材４１の周縁を包囲するエッジ部材４３とを備える。天板４１（の芯材４１）の下面における、天板受け３３のボルト挿通孔３３６に対応する部位には、インサートナット（特に、鬼目ナット）４４が埋設されるか、または雌ねじ穴４４が形成される。加えて、反使用端側の部位には、柵部材４６を取り付けるための雌ねじ穴４６が形成される。
【００７５】
柵部材４６は、天板４上に載置される情報処理端末その他の物品の落下を抑止する目的で、天板４の反使用端から両側の一部に亘り設けられる。柵部材４６は、例えば表面が塗装された金属製の線材を主体としたものであり、天板４の雌ねじ穴４５にねじ止めするための柵取付板４７と、この柵取付板から天板４の外縁近傍まで延出し上方に起立する起立線材４８と、この起起立線材４８の上端同士を接続する水平線材４９とを有する。取付板４７、起立線材４８及び水平線材４９は、互いに溶接等により接合されている。
【００７６】
天板４を支持構造体３に固定するに際しては、図１２及び図１４に示しているように、天板受け３３の嵌込部３３１にステー３２の側部を嵌め入れるようにして天板受け３３をステー３２に組み付けるとともに、天板４を天板受け３３に載せ置き、その状態でボルト挿通孔３６に下方からボルト８１を挿通して、当該ボルト８１を天板４の下面に開口するインサートナット４４または雌ねじ孔４４に螺合させて緊締する。このとき、ボルト８１の軸部が、嵌込部３３１内に所在するステー３２を貫通する。従って、ボルト８１により、天板受け３３をステー３２に固定しつつ、天板４を天板受け３３及びステー３２に固定することができる。
【００７７】
本実施形態では、支柱２（の昇降要素２２）の上端部に固定した横架材３１にステー３２を固定し、そのステー３２に複数の天板受け３３を固定し、かつそれら複数の天板受け３３に天板４を下方から支持させる。つまり、横架材３１が、ステー３２及び天板受け３３を介して間接的に天板４を支持することになる。
【００７８】
前後方向に延伸するステー３２の左右両側部は、天板４の左右の側縁よりも内側方に位置する。だが、天板受け３３の存在により、ステー３２の左右両側部と天板４の下面との間には、使用者の手を挿入し得る程度の隙間が生じる。故に、ステー３２の側部を使用者が側方から把持することが可能であり、ナースカートＮを移動させる際にこれをハンドル５代わりに利用できる。
【００７９】
＜天板直下に配されるオプション品＞
天板受け３３がステー３２と天板４との間に介在することにより、横架材３１の上面即ち水平片３１１の上面と、天板４の下面との間に、上下方向に沿って所定寸法の空間が形成される。図１２ないし図１６に示すように、本実施形態のナースカートＮにおいては、この天板４の直下の空間領域を、一または複数のオプション品７１、７２、７３を配置するためのオプション空間として活用している。
【００８０】
本実施形態では、オプション品として、物品支持体である機器収容棚７１、ファイル棚７２及び投げ込み棚７３を想定している。まず、機器収容棚７１は、天板４上に載置した情報処理端末に電力を供給する電源装置（バッテリ、ＡＣ／ＤＣアダプタ等）Ｂその他必要な機器を設置するための棚である。この機器収容棚７１は、天板４の反使用端寄りに配されることで、反使用端側即ち後方に開放した棚を構成する。
【００８１】
機器収容棚７１は、電源装置Ｂ等を載置できる底板７１１と、底板７１１の前縁部を上方に起立させた後前方に屈曲させることで形成した取付片７１２と、底板７１１の後端近傍における左右の側縁部を上方に起立させた後外側方に屈曲させることで形成した取付片７１３とを有している。前者の取付片７１２は、支持構造体３の横架材３１の後方の水平片３１１に支持させる。これに対し、後者の取付片７１３は、天板４の反使用端側に設けられる天板受け３３に支持させる。
【００８２】
ファイル棚７２は、使用者が業務において使用するファイル、ノート、書類等の薄型の物品を収納するための棚である。このファイル棚７２は、天板４の使用端寄りに配されることで、使用端側即ち前方に開放した棚を構成する。
【００８３】
ファイル棚７２は、ファイル等の物品を載置できる底板７２１と、底板７２１の中央部位において下方に没入させるように形成した前後一対の取付片７２２と、底板７２１の前端近傍における左右の側縁部を上方に起立させた後外側方に屈曲させることで形成した取付片７２３とを有している。前者の前後一対の取付片７２２はそれぞれ、支持構造体３の横架材３１の前後の水平片３１１に支持させる。これに対し、後者の取付片７２３は、天板４の使用端側に設けられる天板受け３３に支持させる。
【００８４】
投げ込み棚７３は、使用者が業務において使用する筆記具その他の小形の物品、小物類を投げ込むようにして収納するための棚である。投げ込み棚７３は、天板４の使用端寄り、かつファイル棚７２の下方に配されることで、前方に開放した棚を構成する。
【００８５】
投げ込み棚７３は、投入される小物類を保持することのできる底板７３１及び後板７３２と、後板の７３２後縁部を後方に屈曲させることで形成した取付片７３３と、底板７３１の左右の側縁部を上方に起立させた後その前端近傍を外側方に屈曲させることで形成した取付片７３４とを有している。投げ込み棚７３の底板７３１は、後方に向かうにつれて徐々に下降するように傾斜している。後板７３２は、その傾斜した底板７３１の後端にあって、投げ込み棚７３に投げ込まれ底板７３１を滑落する物品が投げ込み棚７３から脱落することを防ぐ。前者の取付片７３３は、支持構造体３の横架材３１の前方の水平片３１１に支持させる。これに対し、後者の取付片７３４は、天板４の使用端側に設けられる天板受け３３に支持させる。
【００８６】
機器収容棚７１、ファイル棚７２及び投げ込み棚７３の各々を支持構造体３に取り付けるに際しては、図１２及び図１６に示しているように、天板受け３３の嵌込部３３１にステー３２の側部を嵌め入れるようにして天板受け３３をステー３２に組み付けた後、天板４を天板受け３３に載せ置く前に、機器収容棚７１の取付片７１３を反使用端側の天板受け３３に載せ置き、ファイル棚７２の取付片７２３を使用端側の天板受け３３に載せ置き、並びに、投げ込み棚７３の取付片７３４を使用端側の天板受け３３に載せ置く。各オプション品７１、７２、７３の取付片７１３、７２３、７３４はそれぞれ、天板受け３３の上端における、前壁３３２、後壁３３３及び外側壁３３４で囲まれた領域内に収まる。換言すれば、取付片７１３、７２３、７３４は、天板受け３３のリブ３３５上に載る。この状態で、取付片７１３、７２３、７３４の上面と、前壁３３２、後壁３３３及び外側壁３３４の上端面とが略面一となる。
【００８７】
なお、ファイル棚７２の取付片７２３と投げ込み棚７３の取付片７３４とはともに同一の天板受け３３上に載ることになるので、両者の取付片７２３、７３４が天板受け３３の上端における前壁３３２、後壁３３３及び外側壁３３４で囲まれた領域を二分するよう、予め両取付片７２３、７３４の形状を成形しておく。図示例では、天板受け３３の上端の当該領域の前半部に投げ込み棚７３の取付片７３４を配置し、後半部にファイル棚７２の取付片７２３を配置している。
【００８８】
さらに、機器収容棚７１の取付片７１２を横架材３１の後方の水平片３１１に載せ置き、かつファイル棚７２の取付片７２２及び投げ込み棚７３の取付片７３３を横架材３１の前方の水平片３１１に載せ置く。そして、ボルトまたはビス８２を用いて、各取付片７１２、７２２、７３３を水平片３１１に螺着して固定する。
【００８９】
しかる後、天板４を天板受け３３に載置する。これにより、天板受け３３（のリブ３３５）と天板４とで各オプション品７１、７２、７３の取付片７１３、７２３、７３４を上下から挟む構造が成立する。その上で、天板受け３３のボルト挿通孔３６に下方からボルト８１を挿通し、当該ボルト８１を天板４の下面に開口するインサートナット４４または雌ねじ孔４４に螺合させて緊締する。このとき、ボルト８１の軸部は、各オプション品７１、７２、７３の取付片７１３、７２３、７３４を貫通する。結果、ボルト８１により、オプション品７１、７２、７３の取付片７１３、７２３、７３４と天板４３とを共締めして、天板受け３３に対し固着させることができる。
【００９０】
ナースカートＮに何れのオプション品７１、７２、７３を実装するかは、任意である。ナースカートＮに全てのオプション品７１、７２、７３を装備してもよいし、それらのうち一部のみを装備してもよい。不必要であれば、全オプション品７１、７２、７３を撤去しても構わない。
【００９１】
＜ハンドル＞
ハンドル５は、図１ないし図７、並びに図１２、図１３及び図１５に示すように、ステー３２の左右両側部を相互に連結するように左右方向に伸長する前端部を利用して構成されており、支持構造体３に支持される。このハンドル５は、天板４の使用端側において、天板４の外縁（使用端縁及び使用端に近い側縁の一部分）に沿って設けられ、かつ天板４の上面及び下面よりも下方に偏倚した高さ位置に配されている。ハンドル５は、天板４の使用端縁よりも前方に迫り出しており、ハンドル５と天板４の使用端縁との間には隙間が介在していて、使用者がこれを使用端側から容易に把持することができるようになっている。
【００９２】
詳述すれば、ハンドル５は、ステー３２よりも一回り径が大きな平面視概略Ｌ形をなし上下からステー３２両側のコーナ部分を覆う二つの側カバー５１と、この二つの側カバー５１間に装着された中央カバー５２とを具備してなる。側カバー５１は、天板４の使用端に沿って水平に延びる使用端側水平部分５３と、この使用端側水平部分５３の両端から天板４の側縁に沿って後方に延びる側端水平部分５４とを有し、前端部分５６は中央カバーに略接するとともに後端部分５５は天板受け３３近傍に位置付けられる。中央カバー５２は、使用端側水平部分５３の一部を覆いつつ使用者に把持され易い形状を有するもので、合成樹脂等により作られている。このハンドル５はさらに、側端水平部分５４の内側にコードを掛けるためのコード掛け５７を備えている。コード掛け５７は、天板４上に載置されたパーソナルコンピュータ等の機器から延びる各種のコードを着脱可能に掛け止めし得るように構成されたものである。
【００９３】
本実施形態では、物品を運搬するために用いられる搬送用什器Ｎであって、上下方向に延伸する支柱２と、水平方向に拡張し前記支柱２の上端部に固定される横架材３１と、前記横架材３１に支持され上下方向に伸長する複数の天板受け３３と、前記複数の天板受け３３に載置され当該搬送用什器Ｎの最上部に位置するとともにその下面が前記横架材３１の上面３１１から上方に離間して横架材３１との間にオプション品７１、７２、７３を配置することのできるオプション空間を形成する天板４とを具備する搬送用什器Ｎを構成した。
【００９４】
本実施形態によれば、ナースカートＮに代表される搬送用什器において、天板４の直下の空間領域を有効活用でき、その利便性をより一層高めることが可能となる。また、横架材３１と天板４との間に形成される空間や、ステー３２と天板４との間に形成される空間が、搬送用什器Ｎを軽量なものに見せるという視覚的効果を発揮する上、什器としての美観を高める。
【００９５】
加えて、水平方向に伸長するステー３２が前記横架材３１に固定され、前記複数の天板受け３３が前記ステー３２に固定されている構造を採用しているため、支持構造体３のステー３２と天板４の下面との間に隙間を形成することができ、ステー３２を使用者が把持する把手として利用することが容易となる。
【００９６】
そして、前記ステー３２の一部が使用者が把持することのできるハンドル５となっているため、天板受け３３を支持するステー３２をハンドル５に兼用することによる部品点数の削減を実現できる。
【００９７】
前記オプション品の例として、前記オプション空間に収納するべき物品を支持するための一または複数の物品支持体７１、７２、７３を設けているため、立った姿勢でナースカートＮを運用する使用者が自らの手を差し入れることが容易な高さ位置に各種物品の収納場所を確保することができる。
【００９８】
前記オプション品７１、７２、７３を取り付けるための取付片７１３、７２３、７３４が当該オプション品７１、７２、７３に設けられており、前記取付片７１３、７２３、７３４を前記天板受け３３の上端部に支持させた状態でその上から前記天板４が載置されるため、オプション空間にオプション品７１、７２、７３を取り付ける構造が簡便なものとなり、また、天板受け３３をオプション品７１、７２、７３の支持に兼用することによる部品点数の削減を実現できる。
【００９９】
前記天板受け３３における外側方を向く側面にフック３４が設けられているため、比較的軽量な物品、例えばマニュアルやノート等を当該フック３４に引っ掛けて保持させることができる。
【０１００】
なお、本発明は以上に詳述した実施形態に限られるものではない。例えば、上記実施形態では、横架材３１をオプション品７１、７２、７３の支持に利用していたが、横架材３１を利用せず、天板受け３３のみを以てオプション品を支持させるように構成してもよい。
【０１０１】
上記実施形態では、ステー３２を介して天板受け３３を横架材３１に支持させていたが、天板受けを横架材３１に直接固定してもよい。
【０１０２】
物品支持体となるオプション品は、機器収容棚７１やファイル棚７２、投げ込み棚７３のような物品が載置される棚ではなく、物品を天板４、天板受け３３または横架材３１に対して取り付けるためのブラケット等であることがある。
【０１０３】
その他各部の具体的構成は、本発明の趣旨を逸脱しない範囲で種々変形が可能である。
【産業上の利用可能性】
【０１０４】
本発明は、ナースカートに代表される搬送用什器に適用することができる。
【符号の説明】
【０１０５】
Ｎ…搬送用什器（ナースカート）
２…支柱
３１…横架材
３２…ステー
３３…天板受け
３４…フック
４…天板
７１、７２、７３…オプション品
７１３、７２３、７３４…取付片
【図１】
0006369186.tif 000002
【図２】
0006369186.tif 000003
【図３】
0006369186.tif 000004
【図４】
0006369186.tif 000005
【図５】
0006369186.tif 000006
【図６】
0006369186.tif 000007
【図７】
0006369186.tif 000008
【図８】
0006369186.tif 000009
【図９】
0006369186.tif 000010
【図１０】
0006369186.tif 000011
【図１１】
0006369186.tif 000012
【図１２】
0006369186.tif 000013
【図１３】
0006369186.tif 000014
【図１４】
0006369186.tif 000015
【図１５】
0006369186.tif 000016
【図１６】
0006369186.tif 000017